(57)【要約】【課題】  ユーザにとって明るく見やすいバックライトを確保しつつ、バッテリ駆動時間を大幅に伸ばすことができる表示装置、テレビジョン受信機、画像表示制御方法及び画像表示制御処理プログラムを提供する。【解決手段】  番組付帯情報に含まれるＥＰＧ，ＣＭ情報を検出する放送内容検出部１６５と、検出したＣＭ情報に基づいてバックライト輝度、液晶駆動の空間解像度、又は時間解像度の少なくともいずれか一つを制御する表示制御部１６７とを備え、表示制御部１６７は、放送信号から取得したＣＭ情報又は放送信号から検出したＣＭ情報に基づいて液晶パネル１００のバックライト１１０の輝度、又は液晶パネル１００の液晶駆動を制御する。【選択図】  図２
2005210707.tif 000002
【特許請求の範囲】
【請求項１】
液晶パネルと該液晶パネルを照明する照明光源部とを備える表示装置であって、
コマーシャルに関する情報であるＣＭ情報を検出するＣＭ情報検出手段と、
検出したＣＭ情報に基づいて、前記液晶パネル又は前記照明光源部の表示特性を制御する画像表示制御手段と
を備えることを特徴とする表示装置。
【請求項２】
液晶パネルと該液晶パネルを照明する照明光源部とを備える表示装置であって、
コマーシャルに関する情報であるＣＭ情報を検出するＣＭ情報検出手段と、
検出した前記ＣＭ情報に基づいて、前記液晶パネルの表示の明るさ、前記液晶パネルの空間解像度又は時間解像度の少なくともいずれか一つを制御する画像表示制御手段と
を備えることを特徴とする表示装置。
【請求項３】
前記ＣＭ情報検出手段は、放送信号の番組付帯情報に含まれるＣＭ情報を取得することを特徴とする請求項１又は２に記載の表示装置。
【請求項４】
前記ＣＭ検出手段は、インターネットからＣＭ情報を取得することを特徴とする請求項１から３までのいずれか一項に記載の表示装置。
【請求項５】
前記ＣＭ情報検出手段は、映像及び音声信号からなるテレビジョン放送信号の、本編とＣＭとの放送方式の違いからＣＭを検出することを特徴とする請求項１から４までのいずれか一項に記載の表示装置。
【請求項６】
前記ＣＭ情報検出手段は、映像及び音声信号からなるテレビジョン放送信号の、前記音声信号の無音声区間中の映像信号から画像のシーンチェンジ点を検出しその規則性からＣＭを検出することを特徴とする請求項１から５までのいずれか一項に記載の表示装置。
【請求項７】
前記ＣＭ情報検出手段は、番組内に含まれるＣＭ出現を学習してＣＭを検出することを特徴とする請求項１から６までのいずれか一項に記載の表示装置。
【請求項８】
前記ＣＭ情報検出手段は、電子番組表を取得する電子番組表取得手段と、
取得した電子番組表を基に番組内に含まれるＣＭ出現を学習するＣＭ学習手段と、
前記ＣＭ学習結果を基にＣＭスケジュールデータを構築するコマーシャルデータ構築手段とを備え、前記ＣＭスケジュールデータに基づいてＣＭを検出することを特徴とする請求項１から７までのいずれか一項に記載の表示装置。
【請求項９】
前記液晶パネルの表示の明るさの制御は、前記照明光源部の輝度を前記予約状況に応じて変更する制御を含むことを特徴とする請求項１から８までのいずれか一項に記載の表示装置。
【請求項１０】
前記空間解像度の制御は、前記液晶パネルに表示させる画像のサイズを前記予約状況に応じて変更する制御を含むことを特徴とする請求項１から９までのいずれか一項に記載の表示装置。
【請求項１１】
前記時間解像度の制御は、前記液晶パネルのフレーム周波数を前記予約状況に応じて変更する制御を含むことを特徴とする請求項１から１０までのいずれか一項に記載の表示装置。
【請求項１２】
前記画像表示制御手段は、前記予約状況に応じて前記照明光源部の部分点灯又は消灯を行うことを特徴とする請求項１から１１までのいずれか一項に記載の表示装置。
【請求項１３】
前記画像表示制御手段は、ＣＭ時は、表示特性を基準レベルよりも下げる制御を行うことを特徴とする請求項１から１２までのいずれか一項に記載の表示装置。
【請求項１４】
さらに、表示装置を駆動するバッテリと、該バッテリの残容量を検出するバッテリ残量検出手段とを備え、
前記画像表示制御手段は、前記ＣＭ情報と検出された前記バッテリの残容量とに基づいて画像表示制御を行うことを特徴とする請求項１から１３までのいずれか一項に記載の表示装置。
【請求項１５】
請求項１から１４までのいずれか一項に記載の表示装置を備えることを特徴とするテレビジョン受信機。
【請求項１６】
液晶パネルと該液晶パネルを照明する照明光源部とを備える表示装置の制御方法であって、
コマーシャルに関する情報であるＣＭ情報を検出するステップと、
検出した前記ＣＭ情報に基づいて、前記液晶パネルの表示の明るさ、前記液晶パネルの空間解像度又は時間解像度の少なくともいずれか一つを制御する制御ステップと
を有することを特徴とする制御方法。
【請求項１７】
前記制御ステップでは、
ＣＭを検出時、リアルタイムで前記液晶パネルの表示の明るさ、前記液晶パネルの空間解像度又は時間解像度の少なくともいずれか一つを制御することを特徴とする請求項１６記載の制御方法。
【請求項１８】
請求項１６又は１７に記載のステップをコンピュータに実行させるためのプログラム。
【発明の詳細な説明】
【技術分野】
【０００１】
本発明は、表示装置、テレビジョン受信機、画像表示制御方法及び画像表示制御プログラムに関し、特に、表示装置の省エネルギー効果（以下、省エネという）と表示特性の改良に関する。
【０００２】
以下、明細書の記載において、表示特性とは、表示の明るさ、空間解像度又は時間解像度の少なくともいずれか一つを含むものとする。また、基準レベルの定義とは、デフォルトの値、一般的にユーザが見て許容できる表示の輝度をいう。
【背景技術】
【０００３】
従来、液晶表示装置においては、外部から照射された光の透過光量を制御して画像を表示する透過型と、反射光量を制御して画像を表示する反射型とに大別される。透過型液晶表示装置は、一般に、背面にバックライトと呼ばれる照明装置を使用している。このバックライトはバックライト駆動回路に接続されており、商用電源やバッテリ等の電源を基に作成した必要な駆動電力が、駆動回路を通じて供給されている。また、反射型液晶表示装置は、周囲光を利用して表示することが可能であるが、表示輝度が周囲環境に依存する度合いが非常に高く、特に夜間などの暗闇では表示が全く認識できないこともある。そのため、十分な周囲光が得られない場合に備えて、反射型液晶表示素子を前方から照明するフロントライトと呼ばれる照明装置を設け、同様に駆動回路を用いて点灯するものもある。
【０００４】
このような駆動回路はインバータ回路を備えており、電源から供給される駆動電力をもとに周期１００〜４００Ｈｚ程度のパルス点灯信号を生成し、このパルス信号がハイレベルとなっている期間でインバータ回路を駆動し、周期４０Ｋ〜２００ＫＨｚの高周波電圧を生成する。その後、この高周波電圧をバックライトに印加し駆動するようになっている。
【０００５】
また、携帯型のテレビジョン受信機に代表される携帯型表示装置は、携帯使用時にはバッテリ駆動される。携帯型表示装置では、バックライト部に消費される電力が最も大きく、バッテリ駆動時間はバックライトの点灯／非点灯やその輝度によって大きく異なる。一般に、バックライトの輝度が高ければ表示画面は見やすくなり、輝度が低くなると見にくくなる。バックライトの使用はバッテリ駆動時間に大きく影響するため、バックライト輝度を制御してバッテリ駆動時間を伸ばすことが行われている。例えば、特許文献１には、設定されたバッテリ駆動時間とバッテリの総容量から消費電流を算出し、ユーザが設定した時間内だけバックライトを駆動するパーソナルコンピュータが開示されている。
【０００６】
また、特許文献２には、バッテリ残容量に応じて機器の点灯時間を制御する装置が開示されている。また、特許文献３には、バッテリ残量が一定レベル以下になるとバックライトを低電力駆動に切り換え、さらに低下すると映像をオフすると共にメモリカード録画に切り換える携帯型視聴装置が開示されている。
【０００７】
【特許文献１】特開平４−１９２０１５号公報
【特許文献２】特開平７−３２７００４号公報
【特許文献３】特開平１１-１２２９３７号公報
【発明の開示】
【発明が解決しようとする課題】
【０００８】
しかしながら、このような従来の携帯表示装置にあっては、バッテリ残量に応じてバックライトの輝度や機器の動作を一部制限するのみに留まっており、ユーザの視聴したい時間に最適なバックライトの輝度が確保されるものではなかった。
【０００９】
例えば、携帯型テレビジョン受信機において、ユーザが本当に視聴したい番組時間にバックライトが暗くなったり、バッテリ残量に余裕がある場合にはユーザがそれ程関心を持って視聴しない時間や番組のバックライトが高輝度だったりする。これらは有効なバックライト使用ではなく、前者の場合はユーザの使用感を損ない、後者の場合はバッテリ消耗につながってバッテリ駆動時間の低下を招来する。
【００１０】
本発明は、このような課題に鑑みてなされたものであって、視聴番組に関してユーザにとって明るく見やすいバックライト輝度を確保することができる表示装置、テレビジョン受信機、画像表示制御方法及び画像表示制御処理プログラムを提供することを目的とする。
【００１１】
また、低消費電力化を図ることができる表示装置、テレビジョン受信機、画像表示制御方法及び画像表示制御処理プログラムを提供することを目的とする。
【００１２】
さらに、バッテリ駆動時間を大幅に伸ばすことができ、モバイル用途に好適な表示装置、テレビジョン受信機、画像表示制御方法及び画像表示制御処理プログラムを提供することを目的とする。
【課題を解決するための手段】
【００１３】
本発明の表示装置は、液晶パネルと該液晶パネルを照明する照明光源部とを備える表示装置であって、コマーシャルに関する情報であるＣＭ情報を検出するＣＭ情報検出手段と、検出したＣＭ情報に基づいて、前記液晶パネル又は前記照明光源部の表示特性を制御する画像表示制御手段とを備えることを特徴としている。
【００１４】
本発明の表示装置は、液晶パネルと該液晶パネルを照明する照明光源部とを備える表示装置であって、コマーシャルに関する情報であるＣＭ情報を検出するＣＭ情報検出手段と、検出した前記ＣＭ情報に基づいて、前記液晶パネルの表示の明るさ、前記液晶パネルの空間解像度又は時間解像度の少なくともいずれか一つを制御する画像表示制御手段とを備えることを特徴としている。
【００１５】
具体的な態様として、前記ＣＭ情報検出手段は、放送信号の番組付帯情報に含まれるＣＭ情報を取得する。
【００１６】
具体的な態様として、前記ＣＭ情報検出手段は、インターネットからＣＭ情報を取得する。
【００１７】
具体的な態様として、前記ＣＭ情報検出手段は、映像及び音声信号からなるテレビジョン放送信号の、本編とＣＭとの放送方式の違いからＣＭを検出する。
【００１８】
具体的な態様として、前記ＣＭ情報検出手段は、映像及び音声信号からなるテレビジョン放送信号の、前記音声信号の無音声区間中の映像信号から画像のシーンチェンジ点を検出しその規則性からＣＭを検出する。
【００１９】
具体的な態様として、前記ＣＭ情報検出手段は、番組内に含まれるＣＭ出現を学習してＣＭを検出するものであってもよい。
【００２０】
より好ましい具体的な態様として、前記ＣＭ検出手段は、電子番組表を取得する電子番組表取得手段と、取得した電子番組表を基に番組内に含まれるＣＭ出現を学習するＣＭ学習手段と、前記ＣＭ学習結果を基にＣＭスケジュールデータを構築するコマーシャルデータ構築手段とを備え、前記ＣＭスケジュールデータに基づいてＣＭを検出する。
【００２１】
具体的な態様として、前記液晶パネルの表示の明るさの制御は、前記照明光源部の輝度を前記予約状況に応じて変更する制御を含むものである。
【００２２】
具体的な態様として、前記空間解像度の制御は、前記液晶パネルに表示させる画像のサイズを前記予約状況に応じて変更する制御を含むものである。
【００２３】
具体的な態様として、前記時間解像度の制御は、前記液晶パネルのフレーム周波数を前記予約状況に応じて変更する制御を含むものである。
【００２４】
前記画像表示制御手段は、前記予約状況に応じて前記照明光源部の部分点灯又は消灯を行うものであってもよい。
【００２５】
より好ましい具体的な態様として、前記画像表示制御手段は、ＣＭ時は、表示特性を基準レベルよりも下げる制御を行う。
【００２６】
本発明の表示装置は、さらに、表示装置を駆動するバッテリと、該バッテリの残容量を検出するバッテリ残量検出手段とを備え、前記画像表示制御手段は、前記ＣＭ情報と検出された前記バッテリの残容量とに基づいて画像表示制御を行うことを特徴としている。
【００２７】
本発明のテレビジョン受信機は、上記いずれかの表示装置を備えることを特徴としている。
【００２８】
本発明の表示装置の制御方法は、液晶パネルと該液晶パネルを照明する照明光源部とを備える表示装置の制御方法であって、コマーシャルに関する情報であるＣＭ情報を検出するステップと、検出した前記ＣＭ情報に基づいて、前記液晶パネルの表示の明るさ、前記液晶パネルの空間解像度又は時間解像度の少なくともいずれか一つを制御する制御ステップとを有することを特徴としている。
【００２９】
前記制御ステップでは、ＣＭを検出時、リアルタイムで前記液晶パネルの表示の明るさ、前記液晶パネルの空間解像度又は時間解像度の少なくともいずれか一つを制御するものであってもよい。
【００３０】
他の観点から、本発明は、上記いずれかの表示装置のステップをコンピュータに実行させるためのプログラムである。
【発明の効果】
【００３１】
以上、詳述したように、本発明によれば、視聴番組に関してユーザにとって明るく見やすいバックライトを確保することができる。さらに、余計な電力を使用しないようにして低消費電力化を図ることもできる。これにより、省エネ効果に優れた表示装置、テレビジョン受信機及び画像表示制御方法を実現することができる。
【００３２】
また、本編についてはユーザにとって明るく見やすいバックライトを確保しつつ、省エネに寄与することができ、バッテリ駆動時間を大幅に伸ばすことができる。
【発明を実施するための最良の形態】
【００３３】
以下、添付図面を参照しながら本発明の好適な表示装置、テレビジョン受信機及び画像表示制御方法の実施の形態について詳細に説明する。
【００３４】
まず、本発明の基本的な考え方について説明する。
【００３５】
〔基本構成〕
図１（Ａ）（Ｂ）（Ｃ）は、本発明の基本概念を説明するブロック図である。
【００３６】
図１（Ａ）において、本発明の表示装置は、
ＣＭを検出するＣＭ検出手段ａ．と、
検出したＣＭに基づいてバックライト（照明光源部）輝度、液晶駆動の空間解像度、又は時間解像度の少なくともいずれか一つを制御する画像表示制御手段ｂ．と、
画像表示制御手段ｂ．により制御される制御対象ｃ．とを備えることを基本構成とする。
【００３７】
また、図１（Ｂ）において、本発明の表示装置は、
さらに、バッテリの残容量を検出するバッテリ残量検出手段ｄ．を備え、画像表示制御手段ｂ．は、検出されたバッテリ残容量に基づいて画像表示制御を行う。
【００３８】
また、図１（Ｃ）において、本発明の表示装置は、
番組情報を取得する番組情報取得手段ｅ．と、
取得した番組情報を基にＣＭ出現を学習するＣＭ学習手段ｆ．と、
ＣＭ学習結果に基づいてバックライト輝度、液晶駆動の空間解像度、又は時間解像度の少なくともいずれか一つを制御する画像表示制御手段ｂ．と、
画像表示制御手段ｂ．により制御される制御対象ｃ．とを備えることを基本構成とする。
【００３９】
〔制御対象〕
画像表示制御は、バックライト制御と液晶駆動制御とがあり、バックライト制御は、バックライト輝度の変更、バックライトのオン／オフ、バックライトの部分点灯制御を行う。液晶駆動制御は、画像のサイズを変える空間解像度、フレームレートを変える時間解像度の変更制御を行う。いずれも低消費電力化の観点から行うものである。また、バックライト制御と液晶駆動制御とを組合せることも可能である。
【００４０】
液晶表示装置の液晶パネル、例えば、ＴＦＴ（Thin film transistor）液晶パネルでは、垂直走査回路によって複数本の垂直選択線を順次駆動することにより、これらの垂直選択線に接続されている液晶表示素子（以下、液晶セルという）を機能させる。一本の垂直選択線を駆動することにより、当該垂直選択線に接続されている複数の液晶セルにより一行の画素を表示させることができる。各垂直選択線を順次駆動することにより、表示パネルにおける１フレームの画像が表示される。
【００４１】
このような液晶駆動回路において、各水平周期ごとに各垂直選択線は接地電位ＧＮＤから駆動電圧Ｖｐまで駆動される。すなわち、各垂直選択線を接地電位ＧＮＤから駆動電圧Ｖｐまでチャージするので、これに伴い電力が消費される。
【００４２】
例えば、液晶パネルの垂直選択線の本数をｋ、垂直走査線一本当たりの容量をＣｓ、駆動電圧をＶｐ、フレーム周波数をｆｖとすると、液晶パネルの垂直選択線駆動するための消費電力Ｐｃは、次式（１）により求められる。
【００４３】
Ｐｃ＝ｋ・Ｃｓ・Ｖｐ2・ｆｖ                              …（１）
【００４４】
液晶表示装置の大パネル化、高解像度化に伴い、垂直選択線の長さの増加により一本当たりの容量が増し、さらに垂直選択線の本数が増えるので、消費電力Ｐｃが増加する。さらに、フリッカー（表示画面のちらつき）を低減するためにフレーム周波数を増加する対策が講じられている液晶表示装置においてフレーム周波数の増加により消費電力Ｐｃが増加する。
【００４５】
液晶パネルにおける消費電力Ｐｃは、上記式（１）により求められる。空間解像度変更では、垂直選択線の本数ｋを減少して低解像度、又は小画面表示にする。時間解像度変更では、フレーム周波数ｆｖを下げる。これにより、消費電力Ｐｃを減少させることができる。
【００４６】
〔制御内容〕
画像表示制御手段ｂ．は、ＣＭ検出に基づいて画像表示制御を行う。ＣＭ検出は、(1)放送番組情報に含まれるＣＭ情報（現在は無し）を検出する。(2)番組内に含まれるＣＭを学習して特定し、学習により推定されるＣＭの放送期間についてはバックライトの輝度を下げる。(3)リアルタイムＣＭ検出技術を用いて、モノラル／ステレオ放送の切換え，シーンチェンジ，音量の大きな変化などに基づいてＣＭを検出しリアルタイムでバックライトの輝度制御を行う。
【００４７】
画像表示制御手段ｂ．は、ＣＭ検出時についてはバックライトの輝度、空間解像度、又は時間解像度を下げる。バックライトをオフした場合は音声を残すようにしたり、一定時間のみ残すようにしたり、音声を消音する等から適宜選択する。
【００４８】
画像表示制御を、バックライト制御を例に採り述べる。〔パターン１〕視聴予約番組の放送時間帯についてはバックライトの輝度を上げる、また視聴予約番組以外の時間帯の番組のバックライトの輝度を基準レベルに保つ。さらに、ＣＭ時はバックライトの輝度を下げる。〔パターン２〕視聴予約番組の放送時間帯についてはバックライトの輝度を確保、また視聴予約番組以外のバックライトの輝度を下げる。さらに、ＣＭ時はバックライトの輝度をより下げる又はオフする。なお、上記パターンは一例であり種々のパターンやパターン内容の任意の組合せが可能である。さらに、バックライトの部分点灯制御、液晶駆動制御を単独で、又はバックライト輝度制御と併用してもよい。
【００４９】
第１の実施の形態
図２は、上記図１（Ａ）の基本的な考え方に基づく本発明の第１の実施の形態の表示装置の構成を概略的に示すブロック図である。本実施の形態に係る表示装置は、ＡＣ駆動されるデジタルテレビジョン受信機の表示装置に適用したものである。
【００５０】
図２において、テレビジョン受信機の表示装置は、液晶パネル１００（制御対象）と、液晶パネル１００に光を照射するバックライト（照明光源部）用光源としての冷陰極管（ＣＣＦＴ：Cold Cathode Fluorescent Tube）からなるバックライト１１０（制御対象）と、供給電源電圧を基本パラメータとし，さらには表示制御部１６７（ＣＭ検出手段の一部，画像表示制御手段）からの表示制御信号に従ってバックライト輝度制御を行うマイコン（マイクロコンピュータ）１２０と、外部の商用電源から適切な直流電源に変換して装置に供給するＡＣアダプタ１３０と、ＡＣアダプタ１３０から供給される電源電圧を整流してマイコン１２０に所定の直流電圧を出力するレギュレータ１３１と、複数のインバータ１５１〜１５４からなり前記直流電圧を数十Ｋ〜数百ＫＨｚの高周波電圧に変換してバックライト１１０を駆動するインバータ回路１５０と、ＣＡＴＶを含む外部入力１６０と、アンテナ１６１から放送信号を受信するチューナ１６２と、受信した放送信号に多重化されている番組付帯情報を分離する番組情報分離部１６３と、ストリームデータのデコード処理を行うデコード部１６４と、番組付帯情報に含まれるＥＰＧ（Electrical Program Guide：電子番組ガイド），ＣＭ情報を検出する放送内容検出部１６５（ＣＭ情報検出手段）と、視聴予約番組や視聴予定時間の設定やバックライト制御モード設定などのユーザ操作情報を入力するキー入力部，ポインティングデバイス，リモコン装置などからなる操作部１６６と、デコードされた映像信号を処理してＬＣＤコントローラ１６８に出力するとともに、設定した視聴予約番組に基づいてバックライト輝度、液晶駆動の空間解像度、又は時間解像度の少なくともいずれか一つを制御する表示制御部１６７と、表示データ並びに、表示データ転送用クロック，走査開始信号，表示データラッチ信号等の液晶駆動信号を供給するＬＣＤコントローラ１６８と、前記液晶駆動信号によって液晶パネル１００に駆動電圧を出力する液晶駆動回路１６９とを備えて構成される。
【００５１】
上記マイコン１２０、ＡＣアダプタ１３０、レギュレータ１３１、及びインバータ回路１５０は、全体として、バックライト１１０を点灯するバックライト点灯装置１５５を構成する。
【００５２】
まず、バックライト点灯装置１５５について説明する。
【００５３】
バックライト１１０は、液晶パネル１００に光を照射する光源として複数の放電ランプ１１１〜１１４を含んでいる。図２では、４つの放電ランプ１１１〜１１４を備えた構成を例示しているが、放電ランプやインバータの個数及び配置は液晶パネルの寸法等に応じて任意に決めることができる。
【００５４】
マイコン１２０は、内部の各構成部分及びマイコン１２０外部の装置に対してバックライト輝度制御を行う制御手段１２１と、インバータ回路１５０（バックライト駆動部）に調光パルスを供給する調光パルス発生回路１２２と、調光パルス発生回路１２２により生成した調光パルスのパルス幅及び周期を変調してインバータ回路１５０に入力するＰＷＭ（Pulse Width Modulation：パルス幅変調）部１２３〜１２６とを備えている。
【００５５】
調光パルス発生回路１２２は、基準発振クロックを生成する基準発振器（図示せず）を有しており、このクロックに基づいて調光パルスを生成する。本実施の形態では、一つの基準発振器により周波数の異なる複数の調光パルスを生成して各ＰＷＭ部１２３〜１２６に出力するようにしてもよいし、複数の基準発振器を備え、それぞれが異なる周期の調光パルスを各ＰＷＭ部１２３〜１２６に出力するようにしてもよい。
【００５６】
各ＰＷＭ部１２３〜１２６は、バックライト１１０の各放電ランプ１１１〜１１４に対応しているため、バックライト１１０の放電ランプと同数のＰＷＭ部をマイコン１２０において備えるものとする。
【００５７】
インバータ回路１５０は、複数のインバータ１５１〜１５４を含んでいる。各インバータ１５１〜１５４は、ＡＣアダプタ１３０の出力から供給される直流電圧トリガーとして入力しを数十Ｋ〜数百ＫＨｚの高周波電圧に変換して各放電ランプ１１１〜１１４に供給する。また、各インバータ１５１〜１５４には、調光パルス発生回路１２２により生成され各ＰＷＭ部１２３〜１２６において変調された調光パルスが入力されており、この調光パルスにより各放電ランプ１１１〜１１４に供給する高周波電圧を調整するように構成されている。
【００５８】
これにより、本実施の形態のバックライト点灯装置１５５においては、マイコン１２０の調光パルス発生回路１２２及び各ＰＷＭ部１２３〜１２６の動作を制御することにより、各放電ランプ１１１〜１１４に供給する高周波電圧に対して任意の調光を行うことが可能である。
【００５９】
インバータ１５１〜１５４もまた、ＰＷＭ部１２３〜１２６と同様に、それぞれがバックライト１１０の各放電ランプ１１１〜１１４に対応しているので、インバータ回路１５０は、バックライト１１０の放電ランプと同数のインバータを備えるものとする。
【００６０】
本実施の形態のバックライト点灯装置１５５では、ＡＣアダプタ１３０についてスイッチ回路ＳＷ１を備えている。スイッチ回路ＳＷ１は、マイコン１２０の制御手段１２１により動作が制御されるようになっている。
【００６１】
制御手段１２１は、上記バックライト点灯装置１５５の基本駆動電源制御とは別に、表示制御部１６７からの表示制御信号を受けてバックライト点灯装置１５５のバックライト輝度を変更する駆動電源制御を行う。表示制御部１６７からの表示制御信号を受けて行う駆動電源制御には、バックライト輝度変更、バックライトのオン／オフ及び各放電ランプ１１１〜１１４の一部オフも含まれる。
【００６２】
図３は、図２に示す本実施の形態の各ＰＷＭ部、各インバータ及び各放電ランプの構成例を詳細に示す図である。図３に示す回路は、一般的に知られているバックライト用インバータ回路であり放電ランプ１本を点灯する場合を代表して示す。
【００６３】
図３において、電源２０１は図２のレギュレータ１３１から供給される直流電圧に相当するものであり、この直流電圧をインバータ回路で高周波電圧に変換し、放電ランプ１１１を駆動する。ＰＷＭ調光回路部２０３は図２の各ＰＷＭ部１２３〜１２６に相当するものであり、その他の回路部分は図２の各インバータ１５１〜１５４に相当するものである。
【００６４】
図２の調光パルス発生回路１２２により生成した調光パルスは、図３に示すＰＷＭ調光回路部の端子Ｓ１に入力され、発信回路を通じてインバータ回路部分に出力される。これにより、電源２０１から供給され、高周波電圧として放電ランプ１１１に出力される駆動電圧を、一定周期でオン／オフすることができるようになっている。
【００６５】
本実施の形態では、バックライト１１０の光源にＣＣＦＴを用いたバックライト点灯装置１５５について説明したが、これに限らず、例えば、バックライト１１０の光源としてＥＬ（Electro Luminescence）や白色ＬＥＤ（Light Emitting Diode）等の他の種類の光源を用いることが可能である。また、液晶パネル１００を照明する照明光源部としては、上記バックライト１１０方式のほか、フロントライト方式があり、バックライト方式の中にはエッジライト方式も含まれる。さらに、バックライト方式とエッジライト方式のＬＥＤを併用したものも含まれる。
【００６６】
次に、デジタルテレビジョン受信機の表示制御部１６７について説明する。
【００６７】
番組情報分離部１６３は、受信したデジタル放送信号（図４）に多重化されている番組付帯情報を分離する。放送内容検出部１６５は、番組付帯情報に含まれるＥＰＧ，ＣＭ情報を取得し表示制御部１６７に出力する。本例は、地上デジタル放送で配信されるＥＰＧ，ＣＭ情報を取得する例を示しているが、ＥＰＧの種類は限定されず、例えばＧガイド、ＡＤＡＭＳ−ＥＰＧ、インターネットから番組データを取得するｉＥＰＧ，ＤＥＰＧ，ＡＤＡＭＳ−ＥＰＧ+でもよい。
【００６８】
表示制御部１６７は、デコード部１６４によりデコードされた映像信号を処理してＬＣＤコントローラ１６８に出力するとともに、放送内容検出部１６５により取得したＥＰＧを基にユーザ操作による視聴予約番組設定を行う。また、表示制御部１６７は、内部にＯＳＤ（On Screen Display）発生機能部を有し、チャンネル、時刻、音量などの情報をテレビ等の画面上に表示する。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
【００６９】
また、表示制御部１６７は、検出したＣＭ情報に基づいてバックライト輝度、液晶駆動の空間解像度、又は時間解像度の少なくともいずれか一つを制御する画像表示制御を行う。画像表示制御の一例として、ＣＭ時については本編よりもバックライト輝度を下げる画像表示制御を行う。画像表示制御は、制御対象によりバックライト制御と液晶駆動制御とに分けられる。バックライト制御は、表示制御部１６７からバックライト点灯装置１５５のマイコン１２０への表示制御信号によって行われ、表示制御信号を受けたマイコン１２０がバックライト１１０の輝度変更、並びにバックライト１１０の全体又は一部をオン／オフする。また、液晶駆動制御は、液晶駆動信号を供給するＬＣＤコントローラ１６８への制御信号によって行われ、制御信号を受けたＬＣＤコントローラ１６８が液晶駆動回路１６９に供給する液晶駆動信号を制御し、液晶パネル１００の画像表示のサイズ、又はフレーム周波数ｆｖを変える。このバックライト制御と液晶駆動制御の組合せも可能である。例えば、液晶パネル１００の画像のサイズを縮小させたときは、それに合わせてバックライト１１０点灯領域を小さくする制御が好ましい。
【００７０】
本実施の形態では、放送内容検出部１６５は、番組付帯情報からコマーシャル（ＣＭ）時間情報を検出し、表示制御部１６７は、ユーザがバックライト制御モードの省エネモード（ＣＭ時バックライト低輝度又はオフ）を設定しているときは、ＣＭ時のバックライトを低輝度又はオフにする制御を行う。
【００７１】
また、上記視聴予約番組が設定されている場合は、制御開始時点からこの視聴予約番組が終了するまでのＣＭ時間の累計を推定し、推定したＣＭ時間に対応するバックライト輝度低下又はオフに伴う省電力相当分については、視聴予約番組終了時におけるバッテリ残量算出時に差し引くことで、視聴予約番組終了時におけるバッテリ残量を精度よく計算することができる。これにより、視聴予約番組終了時におけるバッテリ残量の余裕度を正確に推定することができる。なお、放送信号にＣＭ情報が含まれない場合の適用例については第４の実施の形態により後述する。
【００７２】
以下、上述のように構成されたテレビジョン受信機の表示装置の動作を説明する。
【００７３】
まず、バックライト点灯装置１５５の動作を説明する。
【００７４】
図２において、ＡＣアダプタ１３０により供給される電源電圧は、レギュレータ１３１において所定の直流電圧に変換され整流された後、マイコン１２０及びインバータ回路１５０に供給される。
【００７５】
マイコン１２０の制御手段１２１は、調光パルス発生回路１２２により所定周波数（本実施の形態では１００〜４００Ｈｚ）の調光パルスを発生させて、各ＰＷＭ部１２３〜１２６に出力させる。各ＰＷＭ部１２３〜１２６は、入力された調光パルスを予め設定されたパルス幅及び周波数に変調して、インバータ回路１５０の各インバータ１５１〜１５４に出力する。
【００７６】
インバータ回路１５０の各インバータ１５１〜１５４は、入力された調光パルスをトリガーとして、レギュレータ１３１からの直流電圧を所定の高周波電圧（４０Ｋ〜２００ＫＨｚ）に変換し、この高周波電圧をバックライト１１０の各放電ランプ１１１〜１１４に供給する。
【００７７】
次に、テレビジョン受信機の表示装置の画像表示制御動作について説明する。
【００７８】
[バックライト制御]
画像表示制御として、バックライト制御を例に採り説明する。表示装置では、バックライト部に消費される電力が最も大きく、バックライト制御が有効に実行されると低消費電力化が図れるからである。バックライト制御は、バックライト輝度の変更、バックライトのオン／オフ、バックライトの部分点灯制御がある。
【００７９】
本テレビジョン受信機では、地上波やＣＡＴＶ、ＢＳ、ＣＳ等の放送のデジタルテレビ放送番組が受信される。放送されたテレビ放送番組は、入力端子より受信放送番組を含む信号として受信装置で受信され、その受信データは本テレビジョン受信機に入力される。
【００８０】
チューナ１６２は、アンテナ１６１からの放送信号を受信し、特定の一つ又は複数の番組放送を選択し次処理によって利用可能な放送ストリームとする処理部であり、番組を前処理するデスクランブラ等を含んで構成される。チューナ１６２で受信した放送ストリームは、図４に示すように番組付帯情報が多重化されて送信されているのが一般的である。図４は、放送ストリーム構成を示す図であり、この図に示すように、放送ストリームは映像、音声、番組付帯情報の各パケットを有し、この番組付帯情報パケットはヘッダ部と情報部からなる。この番組付帯情報には、ＥＰＧと、放送内容が番組本編であるか、コマーシャルであるかを区別する情報とコマーシャルの放送時間が付加されている。また、図示しないデジタル放送信号送出装置は、放送信号に、上記番組本編であるか、コマーシャルであるかを区別する情報とコマーシャルの放送時間（以下、ＣＭ情報という）を付加して信号を送出する。
【００８１】
番組情報分離部１６３は、受信した放送信号に多重化されている番組付帯情報を分離し、分離した番組付帯情報を放送内容検出部１６５に送るとともに、放送ストリームをデコード部１６４に送る。
【００８２】
放送内容検出部１６５では、番組付帯情報に含まれるＥＰＧ、ＣＭ情報を検出する。
【００８３】
表示制御部１６７は、デコードされた映像信号を処理してＬＣＤコントローラ１６８に出力するとともに、取得したＥＰＧを基にユーザ操作による視聴予約番組設定を行う。また、ＣＭ検出時にバックライト輝度を下げるなどの画像表示制御を行う。なお、視聴予約番組設定は、リモコン装置などからなる操作部１６６に設置された番組表ボタンを押下して液晶パネル１００にＥＰＧを表示し、表示されたＥＰＧから所望の番組を選択・決定する。
【００８４】
図５は、ＥＰＧを基に設定される視聴予約番組を示す図である。図５において、１７５は、例えばｉＥＰＧによる電子番組表であり、図５では電子番組表１７５は、１画面に５チャンネルずつ３時間の時間帯の番組を表示している。図５の表示は一例であり、さらに多くのチャンネル及び時間帯を表示したり、ジャンル別表示、時間順表示、キーワード検索表示するものでもよい。ユーザはリモコン装置に設置されているＥＰＧボタンで電子番組表１７５を表示させ、十字キー操作と決定ボタンにより、電子番組表１７５を基に視聴予約番組１７６を設定する。ここでは、視聴予約番組１７６として「ＣＨ４  １９：００放送開始のプロ野球」が視聴予約されている。
【００８５】
表示制御部１６７は、ＣＭ情報取得処理及び／又はＣＭ検出処理、検出したＣＭに基づいて画像表示制御、画像表示設定処理を行う。詳細なバックライト制御処理については図６及び図７により後述する。
【００８６】
また、表示制御部１６７は、バックライト表示に関するメッセージをＯＳＤ表示により、放送信号に多重化してＬＣＤコントローラ１６８に出力し、ＬＣＤコントローラ１６８は液晶パネル１００にそのメッセージを表示する。
【００８７】
図６は、テレビジョン受信機の画像表示制御動作を示すフローチャートであり、図２の表示制御部１６７により実行される。図中、Ｓはフローの各ステップを示す。
【００８８】
まず、ステップＳ１０１で放送信号に重畳されている番組付帯情報からＥＰＧ，ＣＭ情報を取得する。具体的には、番組情報分離部１６３により放送信号から番組付帯情報が分離・取得され、放送内容検出部１６５によりこの番組付帯情報に含まれるＥＰＧ、ＣＭ情報が検出される。
【００８９】
次いで、ステップＳ１０２でＣＭを検出する。本実施の形態では、図４に示すように放送信号に重畳されている番組付帯情報にＣＭ情報が含まれている場合、又はインターネットからＣＭ情報をダウンロードできる場合を例に採っているが、実際には必ずしもＣＭ情報が放送信号等に重畳されて供給されるとは限らない。そこで、本実施の形態ではステップＳ１０２において映像及び音声信号からなるテレビジョン放送信号からＣＭを検出する。(1)ステレオ放送〔ＣＭ〕とモノラル放送又は２カ国語放送〔本編〕との放送方式の違いからＣＭを検出する、(2)音声信号の無音声区間中の映像信号から画像のシーンチェンジ点を検出しその規則性からＣＭを検出する、方法がある。上記(1)の方法は、簡便にＣＭ検出が検出できるが本編がステレオ放送である場合には検出できない。上記(2)の方法は少し処理が複雑になるが精度良くＣＭ検出できる。本実施の形態及び後述する各実施の形態では、ＣＭ検出における画像表示制御精度を担保するため、上記(2)の方法を採用する。但し、放送信号に重畳されている番組付帯情報からＥＰＧ，ＣＭ情報を確実に取得できる場合には本ステップは省略又はスキップが可能である。
【００９０】
次いで、ステップＳ１０３で、画像表示制御モードにあるか否かを判別する。画像表示制御モード（図７により後述する）にあるときは、ステップＳ１０４で本編かＣＭかを判別する。本編であるときはステップＳ１０５で、画像表示制御モードで設定された本編の画像表示制御を実行して本フローを終了する。例えば、画像表示制御モードは省エネパターン組合せに依存しているので、前述したバックライト制御内容の〔パターン１〕に対応する場合には、ステップＳ１０５では設定された視聴予約番組の視聴中は基準レベル（通常時）よりバックライト輝度を上げる。このバックライト制御は、表示制御部１６７からバックライト点灯装置のマイコン１２０への表示制御信号によって行われる。この〔パターン１〕の画像表示制御ではバックライト制御のみが行われ液晶駆動制御は行われない。これにより図５の例では、「プロ野球」の視聴中についてはバックライト輝度が画面表示制御モードに入る前に比較して明るくなりより視聴しやすくなる。
【００９１】
一方、上記ステップＳ１０４でＣＭのときはステップＳ１０６で画像表示制御モードで設定されたＣＭ時の画像表示制御を実行して本フローを終了する。例えば、上記〔パターン１〕の場合には、ＣＭ時であってもバックライト輝度を基準レベル（通常時）に保たれるが、画像表示制御モードが前述した〔パターン２〕に対応する場合には、ＣＭ時にバックライト輝度が基準レベルよりも下げられる。
【００９２】
図７は、画像表示制御モード設定の動作を示すフローチャートである。
【００９３】
まず、ステップＳ１１１で画像表示制御設定画面をＯＳＤ表示し、ユーザ設定入力を待つ。次いで、ステップＳ１１２でＯＳＤ表示された画像表示制御設定画面から省エネパターン設定かカスタマイズ設定の、いずれが選択されたかを判別する。省エネパターン設定であればステップＳ１１３で省エネパターン選択による画像表示制御設定を行ってステップＳ１１５に進み、カスタマイズによる省エネパターン設定であればステップＳ１１４でカスタマイズによる画像表示制御設定を行ってステップＳ１１５に進む。
【００９４】
この画像表示制御設定画面には、見易さと低消費電力化の観点からあらかじめ複数の画像表示制御の組合せパターンが用意されている。本実施の形態では、「輝度優先」「お薦め（通常）」「省エネ１」「省エネ２」「省エネ３」「省エネ４」の各モードと、ユーザがよりきめ細かく画像表示制御パラメータを設定可能な「カスタマイズ」とを有する。ユーザは「輝度優先」などの項目を選択するだけでユーザの好みに合った画像表示制御が可能になる。「輝度優先」は、前述した〔パターン１〕とほぼ同じで「視聴予約番組視聴中についてはバックライトの輝度を上げる、また視聴予約番組以外の番組又はＣＭ時のバックライトの輝度を保つ。液晶駆動制御は行わない。」、「お薦め」は上記「輝度優先」に「ＣＭ時はバックライトの輝度を下げる。」制御が付加される。「省エネ１」は、前述した〔パターン２〕とほぼ同じで「視聴予約番組視聴中についてはバックライトの輝度を確保、また視聴予約番組以外のバックライトの輝度を下げる。さらに、ＣＭ時はバックライトの輝度をより下げる。液晶駆動制御は行わない。」、「省エネ２」は、上記「省エネ１」に「ＣＭ時は液晶駆動制御のフレームレートを下げる。」制御が付加される。「省エネ３」は、上記「省エネ１」に「ＣＭ時は液晶駆動制御により空間解像度を変えて小画面表示にし、この小画面についてバックライト部分点灯を行う。」制御が付加される。「省エネ４」は、上記「省エネ１」に「ＣＭ時はバックライトをオフし、音声のみに切り替える。」制御が付加される。
【００９５】
一方、上記「カスタマイズ」は、上述した各パラメータをユーザが個別設定するものである。このカスタマイズにより、視聴予約番組、それ以外の番組又はＣＭごとにバックライト制御（輝度／オフ，部分点灯）、液晶パネルの空間解像度、又は時間解像度を個別に設定することができる。例えば「視聴予約番組視聴中についてはバックライトの輝度を上げ、視聴予約番組以外の番組又はＣＭについてはバックライト制御を行わず液晶駆動制御のみを行う」といった設定が可能になる。
【００９６】
ステップＳ１１５でユーザ設定が終了したか否かを判別し、ユーザ設定が終了すると、ステップＳ１１６でユーザ設定されたバックライト制御モードをテーブルデータとして保存して本フローを終了する。このテーブルデータは、例えば表示制御部１６７を構成するマイクロコンピュータの不揮発性メモリ領域に記憶する。
【００９７】
図２５は、バックライト制御によるバックライト輝度の時間変化の一例を示す図である。図２５（ａ）に示すように、あるチャンネルにおけるバックライト輝度を時間的経過に沿って観察すると、バックライト制御が実行されている場合にはバックライト輝度は時間的に変化する。この図ではバックライト輝度が基準レベルより高い場合は、視聴予約番組の放送時間帯であり、基準レベルの場合は視聴予約番組以外の放送時間帯である。また、バックライト輝度が基準レベルより低い場合は、ＣＭ放送時と省エネモードにおける視聴予約番組以外の放送時間帯である。
【００９８】
以上、本編とＣＭについてバックライト輝度を制御する例について説明したが、画像表示制御として空間解像度、時間解像度を制御する変形例について説明する。
【００９９】
[空間解像度制御]
低消費電力化としては、バックライト制御が最も有効であるが、空間解像度、時間解像度制御によっても低消費電力化を図ることができる。空間解像度又は時間解像度のみを行う場合には、上記カスタマイズにおいて、本編（視聴予約番組、それ以外の番組を含む）とＣＭとで空間解像度又は時間解像度制御を設定する。図８は、空間解像度制御による液晶パネルの表示画像例を示す図である。図８（ａ）は空間解像度制御による小画面表示によりＣＭ時に元の画像を１／４にし上部中央に表示した例である。これだけでは低消費電力化は殆ど期待できないが、図８（ｂ）に示すように小画面表示に合わせたバックライト部分点灯を併用すると省エネ効果は大きくなる。さらに、図８（ｃ）は小画面表示によりＣＭ時に元の画像を１／４にした表示例である。バックライト１１０にＥＬや白色ＬＥＤ等の他の光源を用いる場合には、バックライトユニットは複数の面光源の組合せから構成することが容易であり、図８（ｃ）に示すようにバックライトの部分点灯はこの面光源の一つに対応させることができる。また、図示は省略するが、空間解像度制御には、上記小画面表示のほか前記式（１）に示す垂直選択線の本数ｋを減少して低解像度にする場合も含まれる。
【０１００】
[時間解像度制御]
時間解像度のみを行う場合には、上記カスタマイズにおいて、本編とＣＭとで時間解像度制御を設定する。図９は、時間解像度制御による液晶パネルの表示画像例を示す図である。図９（ａ）は本編の画面表示例、図９（ｂ）は時間解像度によりフレーム周波数ｆｖを下げた場合のＣＭ時の画面表示例である。図９（ｂ）に示すように、フレーム周波数ｆｖを下げることによりＣＭ時の画面にはフリッカー（表示画面のちらつき）が発生することがある。この時間解像度制御だけでは低消費電力化はあまり期待できないが、バックライト制御を併用すると低消費電力化は大きくなる。また、バックライト輝度が下げられるとフリッカーが却って目立たなくなる効果がある。さらに、空間解像度制御を併用することも可能である。
【０１０１】
以上のように、本実施の形態のテレビジョン受信機は、番組付帯情報に含まれるＥＰＧ，ＣＭ情報を検出する放送内容検出部１６５と、検出したＣＭ情報に基づいてバックライト輝度、液晶駆動の空間解像度、又は時間解像度の少なくともいずれか一つを制御する表示制御部１６７とを備え、表示制御部１６７は、放送信号から取得したＣＭ情報又は放送信号から検出したＣＭ情報に基づいて液晶パネル１００のバックライト１１０の輝度、又は液晶パネル１００の液晶駆動を制御する。具体的には、表示制御部１６７は、ユーザが本編視聴中はバックライト輝度を通常輝度に保つとともに、ＣＭ時はバックライト輝度、空間解像度及び／又は時間解像度を下げる制御を行う。これにより、本編視聴時にはユーザにとって明るく見やすいバックライトを確保しつつ、ＣＭ時はバックライトの輝度を下げる又はオフするなどの画像表示制御を行うことにより低消費電力化を図ることができ、省エネ効果を得ることができる。
【０１０２】
なお、本実施の形態では、デジタル放送信号に含まれる番組付帯情報からＣＭ情報を検出する例について説明したが、ＣＭ情報を検出できるものであれば番組付帯情報には限定されず、例えばテレビジョン信号の垂直帰線消去期間のＥＤＳ（Extended Data Service）信号に含まれるＥＤＳ信号、又はＴＥＬＥＴＥＸＴ信号に含まれる時間情報、コマーシャル情報を用いてもよい。また、上記ＣＭ情報は、インターネット等のネットワークから取得する情報であってもよいことは勿論である。
【０１０３】
第２の実施の形態
図１０は、前記図１（Ｂ）の基本的な考え方に基づく本発明の第２の実施の形態の表示装置の構成を概略的に示すブロック図である。本実施の形態に係る表示装置は、バッテリ駆動が可能なデジタルテレビジョン受信機の表示装置に適用したものである。本実施の形態の説明にあたり、図２と同一構成部分には同一符号を付して重複箇所の説明を省略する。
【０１０４】
図１０において、テレビジョン受信機の表示装置は、液晶パネル１００と、液晶パネル１００に光を照射するバックライト１１０と、供給電源電圧，バッテリ残量検知を基本パラメータとし、さらには表示制御部１６７からの表示制御信号に従ってバックライト輝度制御を行うマイコン１２０と、ＡＣアダプタ１３０から供給される電源電圧を整流してマイコン１２０に出力するレギュレータ１３１と、リチウムイオン蓄電池等からなるバッテリ１４０の電圧を検出するためのバッテリ残量検知部１４１（バッテリ残量検出手段）と、複数のインバータ１５１〜１５４からなりバックライト１１０を駆動するインバータ回路１５０と、ＣＡＴＶを含む外部入力１６０と、アンテナ１６１から放送信号を受信するチューナ１６２と、受信した放送信号に多重化されている番組付帯情報を分離する番組情報分離部１６３と、ストリームデータのデコード処理を行うデコード部１６４と、番組付帯情報に含まれるＥＰＧ，ＣＭ情報を検出する放送内容検出部１６５と、視聴予約番組や視聴予定時間の設定やバックライト制御モード設定などのユーザ操作情報を入力する操作部１６６と、デコードされた映像信号を処理してＬＣＤコントローラ１６８に出力するとともに、検出したＣＭ情報に基づいてバックライト輝度、液晶駆動の空間解像度、又は時間解像度の少なくともいずれか一つを制御する表示制御部１６７と、液晶駆動信号を供給するＬＣＤコントローラ１６８と、前記液晶駆動信号によって液晶パネル１００に駆動電圧を出力する液晶駆動回路１６９とを備えて構成される。
【０１０５】
上記マイコン１２０、ＡＣアダプタ１３０、レギュレータ１３１、バッテリ１４０、バッテリ残量検知部１４１、及びインバータ回路１５０は、全体として、バックライト１１０を点灯するバックライト点灯装置１５５Ａを構成する。
【０１０６】
まず、バックライト点灯装置１５５Ａについて説明する。
【０１０７】
マイコン１２０は、さらに内部構成として、マイコン１２０内部の各構成部分及びマイコン１２０外部の装置に対してバックライト輝度制御を行う制御手段１２１と、バッテリ放電特性及び放電温度特性等の特性データ及び、バックライト輝度変化とバッテリ駆動時間との相関関係をバッテリ残量設定用テーブルデータとしてＥＥＰＲＯＭ（electrically erasable programmable ROM）等に格納するバッテリ残量設定テーブル１２１Ａと、インバータ回路１５０（バックライト駆動部）に調光パルスを供給する調光パルス発生回路１２２と、調光パルス発生回路１２２により生成した調光パルスのパルス幅及び周期を変調してインバータ回路１５０に入力するＰＷＭ部１２３〜１２６とを備えている。
【０１０８】
バックライト点灯装置１５５ＡをＡＣアダプタ１３０からの電源電圧で駆動するときには、ＳＷ１をオン（接続状態）にするとともにＳＷ２をオフ（切断状態）にする。バックライト点灯装置をバッテリ１４０からの電源電圧で駆動するときには、ＳＷ１をオフにするとともにＳＷ２をオンにすればよい。また、ＳＷ１及びＳＷ２の両方をオンにすると、ＡＣアダプタ１３０からの電源電圧により、バックライト点灯装置１５５Ａを駆動すると同時にバッテリ１４０を充電することが可能となる。さらに、ＳＷ１及びＳＷ２の両方をオフにすると、バックライト点灯装置１５５Ａに電源電圧が全く供給されない状態となる。
【０１０９】
バッテリ残量検知部１４１は、バッテリ１４０の電圧を検出し、その値をマイコン１２０の制御手段１２１に出力する。制御手段１２１は、この値とバッテリ残量設定テーブル１２１Ａに格納されている各種バッテリ特性に基づいて、スイッチ回路ＳＷ１及びＳＷ２を制御し、バックライト点灯装置１５５Ａの駆動電源を切り替えることができる。
【０１１０】
図２３及び図２４は、バッテリ残量設定テーブル１２１Ａのテーブルデータの基となるバッテリ放電特性を示す図であり、図２３は、一般的なバッテリ放電特性、図２４は、放電温度特性を示す図である。バッテリ残量設定テーブル１２１Ａには、これらのバッテリ放電特性を基にしたテーブルデータが格納されており、制御手段１２１は、このテーブルデータを参照してバックライト点灯装置１５５Ａの駆動電源を制御する。図２３に示すように、バッテリ放電容量は周囲温度によって変化するため、装置又はバッテリの周辺に、例えばバッテリの近辺に温度センサを設置し、設置された温度センサにより使用中のバッテリ周囲温度を検出する。そして検出した温度に応じた放電特性カーブを用いたバッテリ残量設定テーブルを参照してバッテリ駆動時間を求めることが好ましい。
【０１１１】
さらに、制御手段１２１は、上記バックライト点灯装置１５５Ａの基本駆動電源制御とは別に、表示制御部１６７からの表示制御信号を受けてバックライト点灯装置１５５Ａのバックライト輝度を変更する駆動電源制御を行う。表示制御部１６７からの表示制御信号を受けて行う駆動電源制御には、バックライト輝度変更、バックライトのオン／オフ及びバックライトの一部オフも含まれる。
【０１１２】
次に、デジタルテレビジョン受信機の表示制御部１６７について説明する。
【０１１３】
図１０に戻って、番組情報分離部１６３は、受信したデジタル放送信号（図４）に多重化されている番組付帯情報を分離する。放送内容検出部１６５は、番組付帯情報に含まれるＥＰＧ，ＣＭ情報を取得し表示制御部１６７に出力する。本例は、地上デジタル放送で配信されるＥＰＧ，ＣＭ情報を取得する例を示しているが、ＥＰＧ，ＣＭ情報の種類は限定されない。
【０１１４】
表示制御部１６７は、デコード部１６４によりデコードされた映像信号を処理してＬＣＤコントローラ１６８に出力するとともに、放送内容検出部１６５により取得したＥＰＧを基にユーザ操作による視聴予約番組設定を行う。
【０１１５】
また、表示制御部１６７は、検出したＣＭ情報に基づいてバックライト輝度、液晶駆動の空間解像度、又は時間解像度の少なくともいずれか一つを制御する画像表示制御を行って省エネ効果を得ることができる。
【０１１６】
特に、本実施の形態では、バッテリ残量を検出することによって、ＣＭ時はバックライト輝度を下げる又はオフしてバッテリ消費を低減する制御を行った上で、ユーザ設定された視聴予約番組は必ず視聴できるように画像表示制御を行う。あるいは、視聴予約番組については他の番組よりも見やすくなるように画像表示制御を行う。画像表示制御は、制御対象によりバックライト制御と液晶駆動制御とに分けられる。バックライト制御は、表示制御部１６７からバックライト点灯装置１５５Ａのマイコン１２０への表示制御信号によって行われ、該表示制御信号を受けたマイコン１２０がバックライト１１０の輝度変更、並びにバックライト１１０の全体又は一部をオン／オフする。また、液晶駆動制御は、液晶駆動信号を供給するＬＣＤコントローラ１６８への制御信号によって行われ、該制御信号を受けたＬＣＤコントローラ１６８が液晶駆動回路１６９に供給する液晶駆動信号を制御し、液晶パネル１００の画像表示のサイズ、又はフレームレートを変える。このバックライト制御と液晶駆動制御の組合せも可能である。
【０１１７】
表示制御部１６７はまた、バッテリ残量検知部１４１により検知されたバッテリ残量検知結果と、設定された視聴予約番組（視聴予約番組が複数あるときはそのそれぞれについて）放送時間と、該視聴予約番組までの時間情報に基づいて画像表示制御を行う。バックライト制御を例に採ると、設定された視聴予約番組終了までバッテリ残量が所定以上あると判定され、かつユーザがバックライト制御モードを設定している場合には、設定視聴番組の視聴中はバックライト輝度を保つ又は上げる制御を行う。また、設定された視聴予約番組は必ず視聴できるように、該視聴予約番組以外の画面表示についてバックライト輝度を下げる。
【０１１８】
図２５は、バックライト制御によるバックライト輝度の時間変化の一例を示す図であり、図２５（ｂ）はバッテリ残量が所定以上ある場合を、図２５（ｃ）はバッテリ残量が所定より少ない場合を示す。図２５（ｂ）に示すようにバッテリ残量が所定以上ある場合には、バッテリ残量を検出しない図２５（ａ）と同様なバックライト輝度の時間変化であるが、バッテリ残量が少なくなると、図２５（ｃ）に示すようにバックライト輝度の時間変化を維持したまま、バックライド輝度のレベルを下げるように制御を行う。
【０１１９】
以下、上述のように構成されたテレビジョン受信機の表示装置の動作を説明する。
【０１２０】
画像表示制御として、バックライト制御を例に採る。バックライト制御は、バックライト輝度の変更、バックライトのオン／オフ、バックライトの部分点灯制御がある。なお、バックライト制御を例に採るが、第１の実施の形態の変形例のように、液晶パネル１００の画像表示のサイズやフレーム周波数ｆｖを変える液晶表示制御についても同様の画像表示制御が可能である。
【０１２１】
図１１及び図１２は、テレビジョン受信機のバックライト制御動作を示すフローチャートであり、図１０の表示制御部１６７により実行される。なお、本バックライト制御は、前述したバックライト制御内容の〔パターン１〕に対応するものである。
【０１２２】
まず、ステップＳ１で放送信号に重畳されている番組付帯情報からＥＰＧ，ＣＭ情報を取得する。具体的には、番組情報分離部１６３により放送信号から番組付帯情報が分離・取得され、放送内容検出部１６５によりこの番組付帯情報に含まれるＥＰＧ、ＣＭ情報が検出される。なお、インターネットから番組データを取り込むｉＥＰＧ，ＤＥＰＧ，ＡＤＡＭＳ−ＥＰＧ+でもよい。また、ＥＰＧとは別にＣＭ情報等の付加情報をインターネットから取り込む態様でもよい。
【０１２３】
次いで、ステップＳ２でユーザによる視聴予約番組を設定する。この視聴予約番組の設定は、番組予約装置等で行う番組予約操作のようにユーザがＥＰＧ画面表示を見ながら番組名や視聴番組をチェックする（図５参照）。
【０１２４】
次いで、ステップＳ２０１で取得したＣＭ情報を基に本編かＣＭかを判別する。ＣＭのときは、ステップＳ２０２でバックライト制御モード（図１４により後述する）にあるか否かを判別する。次いで、ステップＳ２０３でバックライト制御モードに従ってＣＭ中はバックライト輝度を下げる又はオフする。バックライトオフ時であっても音声は出力する。上記ステップＳ２０１で本編であるとき、あるいは上記ステップＳ２０２でバックライト制御モードにないときそのままステップＳ３に進む。
【０１２５】
ステップＳ３では、バッテリ残量検知部１４１により現在のバッテリ残量を検知し、ステップＳ４で通常輝度で視聴した場合に全ての設定された視聴予約番組の視聴終了（視聴予約番組が複数ある場合はその最後の視聴予約番組の視聴終了）まで視聴できるか判定する。上記通常輝度とは、デフォルトの値によるバックライト輝度である。一般に、バックライト輝度は周囲の明るさとの関係で自動調整される。また、本実施の形態では、上記バッテリ残量判定において、省エネモードが設定されている場合、ＣＭ時間を積算して取得し、視聴予定番組の視聴終了までの時間から積算したＣＭ時間分のバッテリ使用電力分を差し引くことでバッテリ余裕度をより一層精度良く推定している。ＣＭ時間データ取得については図１２により後述する。このように、ＣＭ時間を用いることでバッテリ余裕度の判定精度を高め、以下に述べるように、視聴時間より長く保つためにバックライト輝度を制御する、視聴予定番組表示時にはバックライト輝度を保つ又はより明るく制御するなどのバックライト制御の実効を図ることができる。
【０１２６】
設定されたすべての視聴予約番組の視聴終了まで視聴できる場合は、ステップＳ５で設定された視聴予約番組開始時間か否かを判別し、設定された視聴予約番組開始時間になるまで待機する。例えば、前記図５に示す「ＣＨ４  １9：００放送開始のプロ野球」が視聴予約番組１７６として視聴予約されている場合、視聴予約番組１７６の視聴予約開始時間（１９：００）の所定時間前（例えば3分前）まで待機する。
【０１２７】
ステップＳ６でバッテリ残量検知部１４１により現在のバッテリ残量を検知し、ステップＳ７で検出したバッテリ残量から設定された視聴予約番組の視聴中のバックライト輝度を上げることができるか否かを判別する。図５の例では、視聴予約開始時間（１９：００）の3分前に現在のバッテリ残量を検知し、検出したバッテリ残量から設定された視聴予約番組１７６「プロ野球」の最大放送時間（１９：００〜２１：５４）までの２時間５４分の放送予定時間中においてバックライト輝度を上げることができるか否かを判別する。なお、本フローの説明において、視聴予約番組の視聴中は通常時よりバックライト輝度を上げると記載しているのは、設定された視聴予約番組については視聴可能な輝度を確保する意味である。より見やすくするためにバックライト輝度を上げる場合のほか、視聴予約番組の視聴中についてはバックライト輝度を保つ場合も含む。
【０１２８】
バッテリ残量が所定以上ありバックライト輝度を上げることができる場合は、ステップＳ８でバックライト制御モードにあるか否かを判別する。バックライト制御モードにあるときは、ステップＳ９で設定された視聴予約番組の視聴中は通常時よりバックライト輝度を上げる。このバックライト制御は、表示制御部１６７からバックライト点灯装置のマイコン１２０への表示制御信号によって行われる。図５の例では、「プロ野球」の視聴中についてはバックライト輝度が明るくなりより視聴しやすくなる。
【０１２９】
ステップＳ１０では、設定された視聴予約番組の視聴時間が経過したか否かを判別し、設定された視聴予約番組の視聴時間が経過していなければ上記ステップＳ９に戻って設定された視聴番組の視聴時間が経過するまで通常時よりバックライト輝度を上げた状態を維持する。設定された視聴予約番組の視聴時間が経過したときは、ステップＳ１１に進む。
【０１３０】
上記ステップＳ７で検出したバッテリ残量からバックライト輝度を上げることができないとき、あるいは上記ステップＳ８でバックライト制御モードにないときはそのままステップＳ１１に進み、ステップＳ１１でバックライト輝度を通常時に戻して本フローを終了する。
【０１３１】
一方、上記ステップＳ４で通常輝度で設定視聴予約番組の視聴終了まで視聴できないときは、ステップＳ１２でバックライト輝度を落とした場合の設定視聴予約番組終了までの視聴可能時間を計算する。この視聴可能時間の計算は、バックライト輝度を各段階で落とした場合の夫々について計算することが好ましい。
【０１３２】
ステップＳ１３では、バックライト輝度を最低にした場合に設定視聴予約番組の視聴終了まで視聴できるか否かを判別する。バックライト輝度を最低にした場合に設定視聴予約番組の視聴終了まで視聴できる場合は、ステップＳ１４でバックライト制御モードにあるか否かを判別する。バックライト制御モードにあれば、ステップＳ１５で設定された視聴予約番組終了までは視聴できるようにバックライト輝度を制御して本フローを終了する。このバックライト制御モードにあれば、設定された視聴予約番組終了までは必ず視聴できるようにした上で、設定視聴予約番組の視聴中はできるだけバックライト輝度を上げる制御が可能になる。バックライト制御モードになければそのまま本フローを終了する。
【０１３３】
上記ステップＳ１３でバックライト輝度を最低にした場合に設定視聴予約番組の視聴終了まで視聴できないときは、ステップＳ１６で設定された視聴番組終了まで視聴できない旨のメッセージ（図１５参照）を出力して本フローを終了する。
【０１３４】
図１５は、ＬＣＤコントローラ１６８の放送画面１７０に表示された視聴予約番組終了まで視聴できない旨のメッセージ１７１の一例を示す図である。図１５に示すように、放送画面１７０の下方に「設定された番組終了まで視聴することができません。省エネモードにするとあと約○○分の視聴が可能です」と表示される。なお、表示位置や表示形態は図１５に限定されるものではない。例えば、ＯＳＤにより視聴可能時間を示すゲージ（１秒を１個とするブロック表示など）と視聴可能時間値を合わせて表示してもよく、また視聴可能時間をフラッシング表示する、時間を画面に色識別で段階表示する態様でもよい。さらに、発音装置として表示制御部１６７からの出力信号をデジタル信号処理する音声コーデック（出力手段の一部）を設置する構成でもよい。音声コーデックは、ＰＣＭ（Pulse Code Modulation）音源ＩＣ等により構成され、表示制御部１６７から受け取った信号を音声信号に変換してスピーカから出力する。例えば、「設定された番組終了まで視聴することができません。省エネモードにするとあと約○○分の視聴が可能です。省エネモードの設定方法は△△です」などと、あらかじめ録音しておいた実際の人間の音声データを発音する。
【０１３５】
図１３は、ＣＭ時のバッテリ残量計算処理を示すフローチャートである。
【０１３６】
まず、ステップＳ２１で番組付帯情報に含まれるＣＭ情報を取得し、ステップＳ２２で設定された視聴予約番組終了までに存在するＣＭの積算時間を計算する。次いで、ステップＳ２３でＣＭの積算時間分をバックライト制御モード（図１４）に従ってバックライト輝度を下げた場合の、設定された視聴予約番組の終了までの視聴時間を算出して本フローを終了する。なお、視聴予約番組や視聴時間が設定されていない場合は、学習によってあらかじめ得ているＣＭの予想発生回数と時間によりＣＭの積算時間分のバッテリ電力低減分をバッテリ残量計算時に差し引くことでバッテリ残量計算の精度を高めることができる。ＣＭデータ取得の学習機能については第４の実施の形態により後述する。
【０１３７】
図１４は、バックライト制御モード設定の動作を示すフローチャートである。
【０１３８】
まず、ステップＳ３１でバックライト制御設定画面をＯＳＤ表示し、ステップＳ３２でユーザ設定入力を待つ。ユーザ設定が終了すると、ステップＳ３３でユーザ設定されたバックライト制御モードをテーブルデータとして保存する。このテーブルデータは、例えば表示制御部１６７を構成するマイクロコンピュータの不揮発性メモリ領域に記憶する。あるいは、マイコン１２０のバッテリ残量設定テーブル１２１Ａに格納する態様でもよい。バックライト制御モードは、例えばバックライト制御オン／オフと、通常モード／省エネモードがあり、省エネモードはＣＭ時バックライトを変えない（ノーマル），低輝度，ＯＦＦがある。
【０１３９】
以上、画像表示制御としてバックライト制御を例に採り説明したが、第１の実施の形態の変形例[空間解像度／時間解像度制御]のように、液晶パネル１００の画像表示のサイズやフレーム周波数ｆｖを変える液晶表示制御についても同様の画像表示制御が可能である。具体的には、図１４のバックライト制御設定フローに代えて図７の画像表示制御設定フローを実行し、図１２のバックライト制御ステップ（ステップＳ９、ステップＳ１１、ステップＳ１５）において図７のフローで設定された画像表示制御を実行すればよい。
【０１４０】
以上のように、本実施の形態のテレビジョン受信機は、さらに、バッテリ残量検知部１４１を備え、表示制御部１６７は、検出したＣＭ情報に基づいて、ＣＭ時は液晶パネル１００のバックライト１１０の輝度、又は液晶パネル１００の液晶駆動を下げることによってバッテリ消費を低減しつつ、ユーザ設定した視聴予約番組や視聴時間は必ず視聴できるようにバックライト輝度を制御する。また、ユーザがバックライト制御モードを設定している場合には、設定視聴番組の視聴中はバックライト輝度を通常輝度よりも上げる制御を行う。これにより、ＣＭ時にはバッテリ消費を節約し、ユーザが本来視聴したい時間帯には明るく見やすいバックライト輝度を確保することができる。
【０１４１】
また、ＣＭ時間を算出し、ＣＭ時のバックライトを低輝度又はオフにするとともに、視聴予約番組や視聴時間が終了するまでのＣＭ時間を積算し、積算したＣＭ時間に対応する低輝度又はオフ時間の消費電力分についてはバッテリ残量算出時に差し引ことでより一層精度よいバッテリ残量を計算することができ、バッテリ残量の余裕度を制御値に反映させることでバックライト制御の実効を図ることができる。
【０１４２】
また、デジタル放送やモバイルデジタル放送の放送信号に含まれている精度の高いＥＰＧ、ＣＭ情報を使用してバッテリ残量テーブルに反映するので、バッテリ駆動時間の算出精度を向上させることができる。
【０１４３】
また、本実施の形態は、放送信号にあらかじめコマーシャルの放送時間情報を付加しているので、テレビの視聴以外に特別な操作をユーザに要求することはなく、かつコマーシャルを含む一般的なデジタルテレビ放送に適用可能である。
【０１４４】
なお、本実施の形態では、デジタル放送信号に含まれる番組付帯情報からＣＭ情報を検出する例について説明したが、ＣＭ情報を検出できるものであれば番組付帯情報には限定されず、例えばアナログ放送から抽出した電子番組表をもとにＣＭ情報を検出したり、テレビジョン信号の垂直帰線消去期間のＥＤＳ（Extended Data Service）信号に含まれるＥＤＳ信号、又はＴＥＬＥＴＥＸＴ信号に含まれる時間情報、ＣＭ情報を用いてもよい。また、上記ＥＰＧやＣＭ情報は、インターネット等のネットワークから取得する情報であってもよいことは勿論である。
【０１４５】
第３の実施の形態
第1の実施の形態では、画像表示制御について説明し、第２の実施の形態では、バッテリ駆動される表示装置の画像表示制御についてバックライト制御を例に採り説明した。本実施の形態では、バッテリ駆動時の省エネの観点からバックライト制御と液晶駆動制御のより具体的で詳細な実施例について説明する。
【０１４６】
本実施の形態に係るテレビジョン受信機の表示装置のハード的構成は第２の実施の形態と同じであるため説明を省略する。
【０１４７】
図１６及び図１７は、本発明の第３の実施の形態の表示装置の画像表示制御動作を示すフローチャートであり、図１０の表示制御部１６７により実行される。図１１及び図１２のフローと同一処理を行うステップについては同一ステップ番号を付して説明を省略する。
【０１４８】
ステップＳ４で通常輝度で視聴した場合に全ての設定された視聴予約番組の視聴終了（視聴予約番組が複数ある場合はその最後の視聴予約番組の視聴終了）まで視聴できないときは、ステップＳ４１でバックライト輝度を各段階で落とした場合、及び液晶パネル１００の画像表示のサイズやフレーム周波数ｆｖを変える液晶表示制御を行った場合の設定視聴予約番組終了までの視聴可能時間を計算する。この視聴可能時間の計算は、画像表示サイズを小さくした場合に対応するバックライトの部分点灯について計算することが好ましい。
【０１４９】
ステップＳ１３では、バックライト輝度を最低にした場合に設定視聴予約番組の視聴終了まで視聴できるか否かを判別する。バックライト輝度を最低にした場合に設定視聴予約番組の視聴終了まで視聴できる場合は、ステップＳ１４でバックライト制御モードにあるか否かを判別する。バックライト制御モードにあれば、ステップＳ１５で設定された視聴予約番組終了までは視聴できるようにバックライト輝度を制御して本フローを終了する。このバックライト制御モードにあれば、設定された視聴予約番組終了までは必ず視聴できるようにした上で、設定視聴予約番組の視聴中はできるだけバックライト輝度を上げる制御が可能になる。バックライト制御モードになければそのまま本フローを終了する。
【０１５０】
上記ステップＳ１３でバックライト輝度を最低にした場合に設定視聴予約番組の視聴終了まで視聴できないときは、ステップＳ４２で前記式（１）により示されるフレーム周波数ｆｖを下げた場合に設定視聴予約番組の視聴終了まで視聴できるか否かを判別する。フレーム周波数ｆｖを下げると設定視聴予約番組の視聴終了まで視聴できる場合は、ステップＳ４３でバックライト輝度を最低にし、かつフレーム周波数ｆｖを下げる画像表示制御を行って本フローを終了する。
【０１５１】
上記ステップＳ４３でフレーム周波数ｆｖを下げても設定視聴予約番組の視聴終了まで視聴できない場合は、ステップＳ４４で液晶パネル１００の画像表示のサイズを小さく（例えば、前記図８（ｃ）の１／４の縮小サイズ）し、かつ対応するバックライトの部分点灯を行った場合に設定視聴予約番組の視聴終了まで視聴できるか否かを判別する。画像表示のサイズを小さくし、かつ対応するバックライトの部分点灯を行うと設定視聴予約番組の視聴終了まで視聴できる場合は、ステップＳ４５で画像表示のサイズを小さくし、かつ対応するバックライトの部分点灯を行う画像表示制御を行って本フローを終了する。
【０１５２】
上記ステップＳ４４で画像表示のサイズを小さくし、かつ対応するバックライトの部分点灯を行っても設定視聴予約番組の視聴終了まで視聴できないときは、ステップＳ１６で設定された視聴番組終了まで視聴できない旨のメッセージ（図１５参照）を出力して本フローを終了する。
【０１５３】
このように、本実施の形態によれば、第２の実施の形態と同様に、ＣＭ時にはバックライト輝度を下げる又はオフしてバッテリ消費を低減し、設定された視聴予約番組についてはユーザにとって明るく見やすいバックライトを確保することができる。
【０１５４】
特に、本実施の形態では、バックライト制御に加え、液晶駆動制御を行っているので、バックライト制御のみを行う場合よりもバッテリ駆動時間をより一層伸ばすことができる。また、設定された視聴予約番組終了まで視聴可能にする選択肢を増やすことができるので、該選択肢を組合せることによって設定された視聴予約番組についてはより確実に視聴できるようにする効果がある。
【０１５５】
なお、本実施の形態では、液晶駆動制御とバックライト制御とを併用する例について説明したが、画像表示制御としてバックライト制御を併用せず液晶駆動制御のみを行う態様でもよいことは言うまでもない。また、フロントライト方式や自発光型のＥＬディスプレイ、ＰＤＰにも応用することができる。
【０１５６】
また、本実施の形態のバックライト制御は、第1及び第２の実施の形態と同様に前述したバックライト制御内容の〔パターン１〕に対応するものであるが、これに代えて〔パターン２〕のように「視聴予約番組視聴中についてはバックライトの輝度を確保、また視聴予約番組以外のバックライトの輝度を下げ、ＣＭ時はバックライトの輝度をより下げる又はオフする」態様でもよい。このような表示制御の組合せは「省エネモード」として、前記図７で述べたようにあらかじめ複数パターンをセットにして用意しておき、ユーザにより選択させることが好ましい。
【０１５７】
本実施の形態では、液晶駆動制御とバックライト制御とを併用している。一例として、上記〔パターン２〕において「ＣＭ時はバックライトの輝度をより下げる又はオフする」だけではなく、またはこれに代えて液晶パネル１００の画像表示のサイズを小さく（例えば、１／４の縮小サイズ）し、かつ対応する小画像表示領域のみについてバックライトの部分点灯を行うことも可能である。
【０１５８】
また、第１の実施の形態と同様に、視聴予約番組とそれ以外とに分けることなく、ＣＭ時には単にバックライト輝度を下げるなどの画像表示制御を行う態様でもよい。
【０１５９】
第４の実施の形態
本実施の形態に係るテレビジョン受信機は、番組本編であるかコマーシャルであるかを区別する情報等が放送信号に付加されていない場合、あるいは、それらの番組付帯情報を用いない場合の例である。
【０１６０】
図１８は、前記図１（Ｃ）の基本的な考え方に基づく本発明の第４の実施の形態のテレビジョン受信機の構成を示す図である。本実施の形態の説明にあたり、図１０に示すテレビジョン受信機と同一構成部分には同一符号を付して重複箇所の説明を省略する。
【０１６１】
本実施の形態に係るテレビジョン受信機は、図１０に示すテレビジョン受信機の表示制御部１６７（画像表示制御手段，ＣＭ検出手段の一部，ＣＭ学習手段）側に、さらにコマーシャルが含まれるＥＰＧ等の番組表を基に蓄積されたコマーシャルの放送実績を学習してコマーシャルのスケジュールデータ（以下、ＣＭデータという）を構築するＣＭデータ構築部１８０（コマーシャルデータ構築手段）と、コマーシャルが含まれる番組表とコマーシャルの放送実績を蓄積するとともに、構築されたＣＭデータを記録するＣＭデータ記録部１８１とを備える。
【０１６２】
上記ＣＭデータ構築部１８０及びＣＭデータ記録部１８１は、全体として放送内容が番組本編であるか又はコマーシャルであるかを検出するコマーシャル検出手段，切替わり時刻検出手段を構成する。
【０１６３】
図１９は、ＥＰＧ等の番組表を基に構築される番組ＣＭ情報の一例を示す図である。ＣＭデータ記録部１８１は、図１９に示す番組ＣＭ情報を保持する。
【０１６４】
図１９において、番組ＣＭ情報は、「番組識別子」、「チャンネル」、「放送開始日時」、「放送終了日時」、「番組名」、「ジャンル」、「ＣＭ種別」、「ＣＭ回数」、ｎ個の「ＣＭ開始時刻／終了時刻」、及び「ＣＭ情報フラグ」の各項目から構成される。「番組識別子」乃至「ジャンル」の項目はＥＰＧ等の番組表データをそのまま用いる。「ＣＭ種別」は、一定単位（１５秒単位が多い）を一つとし定時に放送されるＣＭを通常「１」、単位時間又は放送時間に変動があるＣＭを「０」、ＮＨＫ放送などＣＭに該当しないお知らせ情報を「−（設定せず）」とする。本実施の形態における残り放送時間表示動作は、「ＣＭ種別」が「１：通常」のＣＭ学習値を制御対象としている。「ＣＭ回数」は、番組中に放送されるＣＭの回数であり、番組放送中のＣＭは勿論のこと、番組放送開始前と番組放送終了後、次の番組が始まるまでの時間帯のＣＭもその番組に属するものとしてカウントする。「ＣＭ開始時刻／終了時刻」は、前記ＣＭ回数に対応するＣＭの数だけＣＭの開始時刻と終了時刻を時分秒の単位で記録する。ここで、放送番組中のコマーシャルは、番組本編の放送信号とＣＭ放送時の放送信号の周波数変化や出力レベルの変化、ステレオ／モノラル信号の切替え検出などによる従来公知の方法で検出することができる。ところで、検出状態によっては番組ＣＭ情報として記録される「ＣＭ開始時刻／終了時刻」は秒単位で変動することもあるため、前回までの値との移動平均をとった値を「ＣＭ開始時刻／終了時刻」として記録することが好ましい。また、検出値が前回値と大幅に異なる場合には、ＣＭ放送時刻が変更になった場合のほか、誤検出の場合も考えられるので「ＣＭ開始時刻／終了時刻」として一応は記録するものの、「ＣＭ情報フラグ」を「０」として今回の番組放送におけるＣＭ表示制御には使用しない。なお、次回の検出値が前回値と僅差である場合には、「ＣＭ情報フラグ」は「１」に戻される。「ＣＭ情報フラグ」は、ＣＭデータ検出結果を通知／非通知にするためのフラグである。このフラグは、ＣＭデータ検出結果が適切に得られたとき「１」を立て、フラグ「１」である場合には要求に従って通知する。また、ユーザ指示によってフラグ「０」とすることができ、ＣＭデータ検出結果を非通知にすることができる。
【０１６５】
以下、上述のように構成されたテレビジョン受信機のＣＭデータ学習動作を説明する。
【０１６６】
図２０は、ＣＭデータ学習処理を示すフローチャートである。
【０１６７】
まず、ステップＳ１２１でＥＰＧなどから番組表構成内容データを取得し、ステップＳ１２２で番組表に基づく放送が行われたか否かを判別する。番組表に基づく放送が行われていないとき（例えば、特別番組が組まれた場合や番組時間が変更された場合など）、ＣＭデータ構築条件にないと判断して本フローを終了する。番組表に基づく放送時間で放送が行われているときは、ステップＳ１２３で放送番組中のコマーシャルを検出しそのコマーシャルの開始時刻と終了時刻を一時的に保存する。コマーシャル検出は、前記図６で述べたように、(1)ステレオ放送〔ＣＭ〕とモノラル放送又は２カ国語放送〔本編〕との放送方式の違い、(2)音声信号の無音声区間中の映像信号から画像のシーンチェンジ点を検出しその規則性から検出することができる。
【０１６８】
ステップＳ１２４では、放送番組中のコマーシャルの開始時刻と終了時刻が記録され、かつ変更がないか否かを判別する。放送番組中のコマーシャルの開始時刻と終了時刻が記録されていないか、あるいはその時刻に変更があるときはステップＳ１２５で放送番組中のコマーシャルの開始時刻と終了時刻を更新する。次いで、ステップＳ１２６で番組が変更されたか、あるいは次の番組に移行したかを判別し、番組の変更がなければ上記ステップＳ１２３に戻って放送番組中のコマーシャルの時刻学習処理を継続する。
【０１６９】
上記ステップＳ１２６で番組の変更があると、ステップＳ１２７で放送番組中のコマーシャルの開始時刻と終了時刻が適切に得られたか否かを判別し、放送番組中のコマーシャルの開始時刻と終了時刻が得られたときは、ステップＳ１２８で図１９に示す番組ＣＭ情報の「ＣＭ情報フラグ」に「１」を立て本フローを終了する。また、上記ステップＳ１２４で放送番組中のコマーシャルの開始時刻と終了時刻が記録され、かつ変更がないときもステップＳ１２８に進み、「ＣＭ情報フラグ」に「１」を立て本フローを終了する。また、上記ステップＳ１２７で放送番組中のコマーシャルの開始時刻と終了時刻が適切に得られなかったときは「ＣＭ情報フラグ」を「０」にして本フローを終了する。
【０１７０】
上述したＣＭデータ学習処理を、一定期間（好ましくは数週間分）にわたって実行してデータを蓄積することにより図１９に示す番組ＣＭ情報を構築することができる。なお、図２０に示すＣＭデータ学習処理を、本テレビジョン受信機以外の装置（例えば、ＡＶ機器制御システムや番組予約装置）で実行し、本テレビジョン受信機は該番組ＣＭ情報を受け取るだけの態様でもよい。
【０１７１】
図２１は、ＣＭデータ通知処理を示すフローチャートである。
【０１７２】
まず、ステップＳ１３１でＣＭデータ出力要求があるか否かを判別し、ＣＭデータ出力要求があれば、ステップＳ１３２で現在放送中の番組が本来の番組放送時刻、すなわちＥＰＧ等の番組表で指定された番組放送時刻で放送されているか否かを判別する。現在放送中の番組が本来の番組放送時刻で放送されているときは、ステップＳ１３３でＣＭデータ記録部１８１に記録された番組ＣＭ情報からＣＭデータ構築部１８０に対して現在放送中の番組のＣＭデータを出力する。
【０１７３】
次いで、ステップＳ１３４で出力されたＣＭデータにＣＭ情報フラグが立っているか（ＣＭ情報フラグ：１か）否かを判別し、ＣＭ情報フラグが立っていれば、ステップＳ１３５で現在時刻に対応するＣＭデータ（現在時刻のＣＭデータとその次のＣＭデータ）の開始時刻と終了時刻を選択し通知して本フローを終了する。
【０１７４】
例えば、図１９に示す番組ＣＭ情報の「海物語」（ドラマ）について例を挙げる。現在時刻が１９：５８でありチャンネル変更がないとすれば、２０：００から「海物語」が始まることになるが、本編の放送に先立ってＣＭ放送が始まる。過去のデータの学習により、１回目のＣＭ放送ではコマーシャルが７５秒間放送されることがデータとして蓄積されている。そこで、ＣＭデータ出力要求が１９：５８に発行されると、次にそのチャンネルで放送される番組（ここでは「海物語」）の１回目のコマーシャルの開始時刻（２０：００：００）と終了時刻（２０：０１：１５）のデータが選択されて通知される。
【０１７５】
なお、本実施の形態では、第１乃至第３の実施の形態の場合と異なりＣＭデータは過去の学習に基づく推定値であるが、バッテリ残量算出に使用するには十分な精度を持つものである。
【０１７６】
図２１のフローに戻って、ステップＳ１３２で現在放送中の番組が本来の番組放送時刻で放送されていないとき、例えば、緊急番組が入ったときや野球中継放送等の放送時間が延びて以降の番組放送時間が繰り下がったときは、適切なＣＭデータ通知が行えないと判断してステップＳ１３６でＣＭデータ出力要求を取り消して本フローを終了する。また、ステップＳ１３４で出力されたＣＭデータにＣＭ情報フラグが立っていないときもＣＭデータ通知条件にないと判断してステップＳ１３６でＣＭデータ出力要求を取り消して本フローを終了する。ＣＭ情報フラグが立っていない場合とは、該当番組に関して図１７に示す番組ＣＭ情報が蓄積されていない場合やユーザ指示により表示をしない場合などである。
【０１７７】
図２２は、ＣＭデータ表示／非表示処理を示すフローチャートである。
【０１７８】
まず、ステップＳ１４１で番組表示中にユーザのリモコン操作等によりＣＭデータ非表示が指示されたか否かを判別し、ＣＭデータ非表示が指示されたときは、ステップＳ１４２でＣＭデータ記録部１８１に記録されている番組ＣＭ情報のＣＭ情報フラグを０にして本フローを終了する。この処理により、該当する番組のＣＭデータの通知はスキップされ、その結果ＣＭデータは非表示となる。本実施の形態では、蓄積した番組ＣＭ情報自体はデータベースとして保存されるため、蓄積データは無駄にならず、フラグを立てるだけでＣＭデータ表示状態に容易に復帰させることが可能である。
【０１７９】
以上のように、本実施の形態のテレビジョン受信機は、コマーシャルが含まれるＥＰＧ等の番組表を基に蓄積されたコマーシャルの放送実績を学習してＣＭデータを構築するＣＭデータ構築部１８０と、コマーシャルが含まれる番組表とコマーシャルの放送実績を蓄積するとともに、構築されたＣＭデータを記録するＣＭデータ記録部１８１とを備えて構成したので、上記各実施の形態と同様の効果を得ることができることに加え、特に、番組毎にコマーシャルと番組本編との切り替わり時刻情報を持つＣＭデータを構築しているので、放送信号に番組本編であるかコマーシャルであるかを区別する情報等が付加されていない場合や、それらの番組付帯情報を用いない（用いることができない）場合であっても番組本編とコマーシャルとの切り替わり時を知ることができる。
【０１８０】
したがって、放送信号にコマーシャル情報が付加されていない放送番組を受信する汎用テレビジョン受信機に適用して好適である。また、テレビジョン受信機があらかじめ備えるＴＶ制御部やメモリの一部を使用して実現できるので、特別な部材や新たな部品を付加することなく、かつ既存のテレビジョン受信機の設計変更を招くことなく低コストで容易に実施することができる。
【０１８１】
また、モバイルテレビ放送を受信するモバイルテレビは勿論のこと、バックライトを備える表示装置を有する携帯型視聴装置全般、例えばパーソナルコンピュータやＨＤＤ等を内蔵し記録映像を再生する携帯型映像再生装置、携帯電話機／ＰＨＳ（Personal Handy-Phone System）やＰＤＡ（Personal Digital Assistants：携帯情報端末）などの表示装置に適用してこれらの機器の、見易さの向上、バッテリ駆動時間の向上を図ることが可能になる。
【０１８２】
ところで、第1乃至第４の実施の形態は、バックライト１１０の光源にＣＣＦＴを用いているため、画像表示のサイズを小さくした場合に対応するバックライトの部分点灯は、例えばバックライト１１０の上部のみ点灯させる態様となる。しかし、バックライト１１０に白色ＬＥＤ等の他の光源を用いる場合には、バックライトユニットは複数の面光源の組合せから構成することが容易であり、上記バックライトの部分点灯はこの面光源の一つに対応させることができる。バックライトの光源に、白色ＬＥＤを用いれば、極めて低消費電力でかつ長寿命、インバータ回路等が不要になるため回路規模が小型化する。また、白色ＬＥＤは定電流回路から供給される定電流により発光するため、電流制御によりきめ細かなバックライト輝度制御が可能になる。
【０１８３】
また、第１の実施の形態は、バッテリ駆動をしない表示装置に、第２乃至第４の実施の形態は、バッテリ駆動の表示装置に適用した例であり、いずれも低消費電力化の観点から有効な発明である。ユーザが本当に見たい視聴予約番組や設定時間のとき、バックライト輝度を上げて見やすくしたり、それ以外の時間帯のバックライト輝度を下げる、又はＣＭ時はバックライト輝度を下げる／オフするなど、ユーザにとって見やすく親切な機器を実現することができる。
【０１８４】
なお、本発明の表示装置及びテレビジョン受信機は、上述の実施の形態に限定されるものではなく、本発明の要旨を逸脱しない範囲内において種々変更を加え得ることは勿論である。例えば、上述したようなテレビジョン受信機に適用することもできるが、これには限定されず、全てのシステムに適用可能である。記録再生装置やテレビジョン受信機の通信機能として組み込まれたものでもよい。さらに、パソコンに代表される情報機器機能に融合された装置であってもよい。
【０１８５】
また、放送情報の種類及び放送信号、時間情報はどのようなものでもよい。また、ＥＰＧ、ＣＭ情報は、放送信号に限らず、インターネット等のネットワークから取得する情報であってもよい。またコマーシャルとは、いわゆるＣＭのほか、ＣＭの形態をとらない交通情報や環境情報（花粉情報など）、さらには緊急情報も含む概念であって付加情報を提供するものであれば狭義のＣＭには限定されない。
【０１８６】
また、上記各実施の形態では表示装置及びテレビジョン受信機という名称を用いたが、これは説明の便宜上であり、蛍光管点灯制御装置、バックライト制御装置、携帯型視聴機器、表示制御方法等であってもよいことは勿論である。
【０１８７】
また、上記各実施の形態は、ディスプレイ背面に複数個の蛍光灯などからなる多灯式バックライトを使用した例について説明したが、表示パネルを用いて表示する画面の明るさの制御を行うものであればよく、反射型液晶ディスプレイを用いた場合のフロントライトにも同様に適用できることは言うまでもない。さらには、有機ＥＬ（Electro Luminescence）など自己発光型ディスプレイを使用した表示装置においてもユーザにとって見やすい輝度調整、省エネの観点から適用して好適である。
【０１８８】
さらに、上記表示装置、テレビジョン受信機を構成するシステムの制御装置、記憶装置等の種類、構築されるＣＭデータの種類、選択方法、画面表示方法などは前述した実施形態に限られないことは言うまでもなく、ソフトウェアに限らずハードウェアにより実現するようにしてもよい。
【０１８９】
以上説明した表示装置及びテレビジョン受信機は、このテレビジョン受信機等を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【図面の簡単な説明】
【０１９０】
【図１】本発明の基本概念を説明するブロック図である。
【図２】本発明の第１の実施の形態のテレビジョン受信機の構成を概略的に示すブロック図である。
【図３】本実施の形態のテレビジョン受信機の各ＰＷＭ部、各インバータ及び各放電ランプの構成例を詳細に示す図である。
【図４】放送ストリーム構成を示す図である。
【図５】ＥＰＧを基に設定される視聴予約番組を示す図である。
【図６】本実施の形態のテレビジョン受信機の画像表示制御動作を示すフローチャートである。
【図７】本実施の形態のテレビジョン受信機の画像表示制御モード設定の動作を示すフローチャートである。
【図８】本実施の形態のテレビジョン受信機の空間解像度制御による液晶パネルの表示画像例を示す図である。
【図９】本実施の形態のテレビジョン受信機の時間解像度制御による液晶パネルの表示画像例を示す図である。
【図１０】本発明の第２の実施の形態のテレビジョン受信機の構成を概略的に示すブロック図である。
【図１１】本実施の形態のテレビジョン受信機のバックライト制御動作を示すフローチャートである。
【図１２】本実施の形態のテレビジョン受信機のバックライト制御動作を示すフローチャートである。
【図１３】本実施の形態のテレビジョン受信機のＣＭ時のバッテリ残量計算処理を示すフローチャートである。
【図１４】本実施の形態のテレビジョン受信機のバックライト制御モード設定の動作を示すフローチャートである。
【図１５】本実施の形態のテレビジョン受信機の画面表示部の放送画面に表示された視聴番組終了まで視聴できない旨のメッセージの一例を示す図である。
【図１６】本発明の第３の実施の形態のテレビジョン受信機の画像表示制御動作を示すフローチャートである。
【図１７】本実施の形態のテレビジョン受信機の画像表示制御動作を示すフローチャートである。
【図１８】本発明の第４の実施の形態のテレビジョン受信機の構成を概略的に示す図である。
【図１９】本実施の形態のテレビジョン受信機のＥＰＧ等の番組表を基に構築される番組ＣＭ情報の一例を示す図である。
【図２０】本実施の形態のテレビジョン受信機のＣＭデータ学習処理を示すフローチャートである。
【図２１】本実施の形態のテレビジョン受信機のＣＭデータ通知処理を示すフローチャートである。
【図２２】本実施の形態のテレビジョン受信機のＣＭデータ表示／非表示処理を示すフローチャートである。
【図２３】本実施の形態のテレビジョン受信機のバッテリ残量設定テーブルのテーブルデータの基となるバッテリ放電特性を示す図である。
【図２４】本実施の形態のテレビジョン受信機のバッテリ残量設定テーブルのテーブルデータの基となるバッテリ放電特性を示す図である。
【図２５】本実施の形態のテレビジョン受信機のバックライト制御によるバックライト輝度の時間変化の一例を示す図である。
【符号の説明】
【０１９１】
１００  液晶パネル
１１０  バックライト
１１１，１１２，１１３，１１４  放電ランプ
１２０  マイコン
１２１  制御手段
１２２  調光パルス発生回路
１２３，１２４，１２５，１２６  ＰＷＭ部
１３０  ＡＣアダプタ
１３１  レギュレータ
１４０  バッテリ
１４１  バッテリ残量検知部（バッテリ残量検出手段）
１５０  インバータ回路
１５１,１５２,１５３,１５４  インバータ
１５５，１５５Ａ  バックライト点灯装置
１６０  外部入力
１６１  アンテナ
１６２  チューナ
１６３  番組情報分離部（番組報取得手段の一部）
１６４  デコード部
１６５  放送内容検出部（ＣＭ情報検出手段）
１６６  操作部
１６７  表示制御部（画像表示制御手段，ＣＭ検出手段の一部，ＣＭ学習手段）
１６８  ＬＣＤコントローラ
１６９  液晶駆動回路
１７０  放送画面
１７１  視聴予約番組終了まで視聴できない旨のメッセージ
１７５  電子番組表
１７６，１７７  視聴予約番組
１８０  ＣＭデータ構築部（コマーシャルデータ構築手段）
１８１  ＣＭデータ記録部
【図１】
2005210707.tif 000003
【図２】
2005210707.tif 000004
【図３】
2005210707.tif 000005
【図４】
2005210707.tif 000006
【図５】
2005210707.tif 000007
【図６】
2005210707.tif 000008
【図７】
2005210707.tif 000009
【図８】
2005210707.tif 000010
【図９】
2005210707.tif 000011
【図１０】
2005210707.tif 000012
【図１１】
2005210707.tif 000013
【図１２】
2005210707.tif 000014
【図１３】
2005210707.tif 000015
【図１４】
2005210707.tif 000016
【図１５】
2005210707.tif 000017
【図１６】
2005210707.tif 000018
【図１７】
2005210707.tif 000019
【図１８】
2005210707.tif 000020
【図１９】
2005210707.tif 000021
【図２０】
2005210707.tif 000022
【図２１】
2005210707.tif 000023
【図２２】
2005210707.tif 000024
【図２３】
2005210707.tif 000025
【図２４】
2005210707.tif 000026
【図２５】
2005210707.tif 000027